(57)【要約】【課題】スタンドアローン型とＰＯＳ用の２種類のカードリーダの上部筐体を１種類の形状で共用できるカードリーダの筐体構造を提供することを目的とする。【解決手段】上部筐体２と下部筐体３をヒンジ部４により開閉自在に構成し、上部筐体２および下部筐体３の内部に、カード挿入口１８より挿入されたカード１７の搬送機構とカード読み取りおよび記録機構を備えたカードリーダ１において、上部筐体２に、キーボード穴２ａおよび表示部用窓２ｂを開口し、スタンドアローン型のカードリーダ仕様のときはキーボード穴２ａからキーボードが露出するように操作部を取り付け、ＰＯＳシステム仕様のときは板状パネル６でキーボード穴２ａを塞ぐようにしたカードリーダ１の筐体構造。【選択図】  図１
2005031935.tif 000002
【特許請求の範囲】
【請求項１】
上部筐体と下部筐体を後方のヒンジ部により開閉自在に構成し、前記上部筐体および下部筐体の内部に、カード挿入口より挿入されたカードの搬送機構とカード読み取りおよび記録機構を備えたカードリーダにおいて、
前記上部筐体に、キーボード穴および表示部用窓を開口し、
スタンドアローン型のカードリーダ仕様のときは前記キーボード穴からキーボードが露出するように操作部を取り付けると共に、前記表示部用窓に表示パネルを取り付け、
ＰＯＳシステム仕様のときは板状パネルで前記キーボード穴を塞ぐと共に、前記表示部用窓に表示パネルを取り付けるようにしたことを特徴とするカードリーダの筐体構造。
【請求項２】
上部筐体と下部筐体とを備え、前記上部筐体と下部筐体の内部に、カード処理機構が配置されるカードリーダの筐体構造であって、
前記上部筐体表面に段落ち部を備え、前記段落ち部には、貫通孔が形成されると共に、前記段落ち部を覆う板状パネルを設けたことを特徴とするカードリーダの筐体構造。
【請求項３】
前記筐体構造は、ＰＯＳシステム仕様のカードリーダに用いられることを特徴とする請求項２記載のカードリーダの筐体構造。
【請求項４】
前記板状パネルに、前記段落ち部に形成された貫通孔と略一致する貫通孔を設けたことを特徴とする請求項２記載のカードリーダの筐体構造。
【請求項５】
前記段落ち部に形成された貫通孔及び前記板状パネルに形成された貫通孔に、キーボードのボタンが挿通されることを特徴とする請求項４記載のカードリーダの筐体構造。
【請求項６】
前記筐体構造は、スタンドアローン型のカードリーダに用いられることを特徴とする請求項５記載のカードリーダの筐体構造。
【発明の詳細な説明】
【０００１】
【発明の属する技術分野】
本発明は、顧客管理やポイントサービス、診察券などに用いられ、磁気カード、ＩＣカード、リライトカード、非接触ＩＣカードなどのカード状記録媒体にデータの記録、再生、印字などを行うカードリーダの筐体構造に関する。
【０００２】
【従来の技術】
従来のカードリーダの構造としては、例えば、（特許文献１）に開示されたものがある。その構造を、図４および図５を用いて説明する。
【０００３】
図４は従来のスタンドアローン型のカードリーダの構造を示す斜視図、図５は従来のカードリーダの上部筐体を開けた状態の斜視図である。
【０００４】
図４、図５において、１１１はカードリーダの本体で、本体１１１は上部筐体１１２と下部筐体１１３に分割されており、上部筐体１１２と下部筐体１１３はヒンジ等の結合手段によって、回動自在に取り付けられている。
【０００５】
表示部１１４には、現在時刻，処理コマンド，所定のキャラクタ，暗証番号，ＩＤ番号等のうち少なくとも一つが表示される。表示部１１４は、カード挿入側から表示が見やすいように傾斜した傾斜台１１５に設けられている。
【０００６】
１１６は上部筐体１１２に設けられ所定のデータ等を入力するキーボードを備えた入力部である。
【０００７】
１２０は上部筐体１１２と下部筐体１１３を互いにロックするロック手段のスライダで、スライダ１２０を矢印の方に移動させることによって、ロック手段を解除させ、上部筐体１１２と下部筐体１１３を回動自在にして、カード搬送路を開放可能にする。
【０００８】
１２１は下部筐体１１３に設けられ、本体１１１の電源スイッチであり、一般にこの電源スイッチ１２１は下部筐体１１３に設けられる電源回路に接続されている。
【０００９】
１２２はカードを挿入するカード挿入口である。
【００１０】
本体１１１内部には、図５に示すように、上部筐体１１２と下部筐体１１３を回動軸を中心に回動させて装置内部を開放すると、カード挿入口１２２に連接するカード搬送路１２３を露出させる事ができる。このとき、カード搬送路１２３は、上部筐体１１２，下部筐体１１３の少なくとも一方に設けられるか、上部筐体１１２と下部筐体１１３の間に形成される。本例の場合には、上部筐体１１２にカード搬送路１２３が設けられており、カード搬送路１２３がむき出しになっている。
【００１１】
下部筐体１１３には図示していないモータなどの駆動手段によって駆動され、挿入されたカードをカード搬送路１２３内で移動させる駆動ローラ１２４，１２５，１２６が設けられており、この駆動ローラ１２４，１２５，１２６には上部筐体１１２に設けられた従動ローラ１２７，１２８，１２９が対向している。カード挿入口１２２に挿入されたカードは、この駆動ローラ１２４，１２５，１２６と従動ローラ１２７，１２８，１２９に挟まれてカード搬送路１２３内を移動する。
【００１２】
１３０は下部筐体１１３に設けられた磁気ヘッドで、磁気ヘッド１３０には上部筐体１１２に設けられた従動ローラ１３１が対向しており、従動ローラ１３１はカードの磁気ストライプ部分が磁気ヘッド１３０に密接して、データの記録か又は再生の少なくとも一方に不具合が生じないようにしている。
【００１３】
１３２，１３３はそれぞれ画像の消去ヘッドと画像の印字ヘッドで、消去ヘッド１３２と印字ヘッド１３３にはそれぞれ駆動手段によって、駆動されるプラテンローラ１３４，１３５がそれぞれ対向している。
【００１４】
上述のカードリーダの構成で使用されるカードは、磁気ストライプと印字部を設けているタイプである。印字部としては、樹脂中に結晶を散りばめたリライト層やロイコ染料を用いたものが用いられる。これら熱可逆性材料を用いた印字部は、所定の温度以上で発色し、特定の温度範囲をある程度保持すれば消色するものであるので、上述のように、消去ヘッド１３２で印字部の画像を消去し、印字ヘッド１３３で画像を形成する。
【００１５】
以上の構成は、一般的にホストコンピュータと接続しないスタンドアローン型のカードリーダであるが、ＰＯＳに接続され、ホストコンピュータと情報の送受信を行うタイプもある。
【００１６】
図６は従来のＰＯＳシステムで用いるカードリーダの例を示す斜視図である。この外観からわかるように。ＰＯＳシステム対応のカードリーダ１４１は、上部筐体１４２と下部筐体１４３からなり、上部筐体１４２の上面にはパワーランプ１４４、レディーランプ１４５、７セグメント１４６を設けた表示パネルが設けられ、電源スイッチ１４７、上部筐体１４２と下部筐体１４３を閉じた状態でロックするスライダ１４８、およびカード挿入口１４９が設けられている。
【００１７】
カードをカード挿入口１４９から挿入するとカードに記録されている顧客コード等の情報がホストコンピュータに送られ、その顧客に関する必要なデータがカードに記録される。
【００１８】
【特許文献１】
特開２０００−４８１４２号公報
【００１９】
【発明が解決しようとする課題】
上述したように、カードリーダのタイプとしては、図４および図５に示したスタンドアローン型のカードリーダと、図６に示したＰＯＳシステムで用いるカードリーダがあるが、基本的にカードの搬送機構や記録機構は、図５に示した機構とほとんど同じであり、データをキーボードから入力するか、ホストコンピュータからの信号を用いるかの違いである。
【００２０】
しかし、従来においては、同じ搬送機構や記録機構を用いる場合であっても、下部筐体は共用できるとしても、上部筐体の形状がスタンドアローン型とＰＯＳ用では異なっていたため、上部筐体の金型を２種類作成しなければならなかった。そのため、金型のコストが高くなり、また在庫も２種類の上部筐体をストックしておく必要があった。
【００２１】
本発明は、スタンドアローン型とＰＯＳ用の２種類のカードリーダの上部筐体を１種類の形状で共用できるカードリーダの筐体構造を提供することを目的とする。
【００２２】
【課題を解決するための手段】
本発明のカードリーダの筐体構造においては、上部筐体に、キーボード穴および表示部用窓を開口し、スタンドアローン型のカードリーダとして用いる場合はキーボード穴にキーボードを取り付け、ＰＯＳシステム用として用いる場合は、キーボード穴をパネルで塞ぐようにし、表示用窓には、それぞれのタイプに応じた表示パネルを取り付けるようにしたものである。
【００２３】
この発明によれば、スタンドアローン型とＰＯＳ用の２種類のカードリーダの上部筐体を１種類の形状で共用できるカードリーダの筐体構造が得られる。
【００２４】
【発明の実施の形態】
本発明の請求項１に記載の発明は、上部筐体と下部筐体を後方のヒンジ部により開閉自在に構成し、上部筐体および下部筐体の内部に、カード挿入口より挿入されたカードの搬送機構とカード読み取りおよび記録機構を備えたカードリーダにおいて、上部筐体に、キーボード穴および表示部用窓を開口し、スタンドアローン型のカードリーダ仕様のときはキーボード穴からキーボードが露出するように操作部を取り付けると共に、表示部用窓に表示パネルを取り付け、ＰＯＳシステム仕様のときは板状パネルでキーボード穴を塞ぐと共に、表示部用窓に表示パネルを取り付けるようにしたことを特徴とするカードリーダの筐体構造としたものであり、タイプに応じてキーボード穴を塞ぐための板状パネルを用いたり、キーボードを取り付けるようにすることで、上部筐体の金型としては同一のものとなるという作用を有する。
【００２５】
請求項２に記載の発明は、上部筐体と下部筐体とを備え、上部筐体と下部筐体の内部に、カード処理機構が配置されるカードリーダの筐体構造であって、上部筐体表面に段落ち部を備え、段落ち部には、貫通孔が形成されると共に、段落ち部を覆う板状パネルを設けたことを特徴とするカードリーダの筐体構造であり、段落ち部及び貫通孔を形成して、タイプが異なるカードリーダにおける上部筐体を共用とすることができると共に、板状パネルによって、カードリーダ内部を保護し、筐体の強度を維持できる。そして、金型をタイプ毎に作成する必要がなくなる。
【００２６】
請求項３に記載の発明は、筐体構造は、ＰＯＳシステム仕様のカードリーダに用いられることを特徴とする請求項２記載のカードリーダの筐体構造であって、キーボードが不要なＰＯＳシステム仕様のカードリーダに用いる場合に、カードリーダ内部を保護し、筐体の強度を維持できると共に、上部筐体表面を平坦にできるので使い勝手が良い。
【００２７】
請求項４に記載の発明は、板状パネルに、段落ち部に形成された貫通孔と略一致する貫通孔を設けたことを特徴とする請求項２記載のカードリーダの筐体構造であって、筐体の強度を維持できると共に、キーボードのボタンを貫通孔に挿入することができる。
【００２８】
請求項５に記載の発明は、段落ち部に形成された貫通孔及び板状パネルに形成された貫通孔に、キーボードのボタンが挿通されることを特徴とする請求項４記載のカードリーダの筐体構造であって、スタンドアローン型のカードリーダに用いることができる。
【００２９】
請求項６に記載の発明は、筐体構造は、スタンドアローン型のカードリーダに用いられることを特徴とする請求項５記載のカードリーダの筐体構造であって、タイプが異なるカードリーダにおける上部筐体を共用とすることができる。
【００３０】
以下、本発明の実施の形態について、図１から図３を用いて説明する。
【００３１】
図１は本発明の実施の形態に係るカードリーダの筐体構造を示す断面図であり、図１においてカードリーダ１は、上部筐体２と下部筐体３から構成されており、上部筐体２と下部筐体３とは、ヒンジ部４により開閉自在となっており、側部のスライダ５で閉じた状態を保持できるようになっている。
【００３２】
上部筐体２には、キーボード穴２ａが開口されており、また表示部用窓２ｂが開けられている。
【００３３】
キーボード穴２ａは、カードリーダのタイプに応じてキーボード穴２ａを塞ぐための板状パネル６を用いたり、キーボードを取り付けるようにすることで、上部筐体２の金型としては同一のものを共用することができる。また、表示部用窓２ｂには、透明な化粧パネル７を取り付け、内側から、液晶表示パネルを配置したり、図示の７セグメント（簡易メッセージ表示用）や電源ランプを搭載した表示ユニット８を配置したりして、スタンドアローン型のカードリーダとＰＯＳシステム用のカードリーダとして適用することができるようにする。
【００３４】
図１の内部構造について説明する。上部筐体２および下部筐体３の内部には、上部ハウジング１０と下部ハウジング１１が設けられており、上部筐体２および下部筐体３と一緒に開閉自在となっている。上部ハウジング１０の前方にはロック用爪１２が設けられ、下部ハウジング１１に設けたロックピン１３と係合するようになっている。ロック用爪１２は、スライダ５と連動してロック解除できるようになっている。
【００３５】
上部ハウジング１０には、第１の制御基板１４が取り付けられ、下部ハウジング１１には第２の制御基板１５が取り付けられている。下部筐体３の下部には、電源ユニット１６が設けられている。
【００３６】
カード１７はカード挿入口１８から内部に挿入され、両側部をガイド溝１９に案内されて搬入、排出される。カード搬送機構は、駆動ローラ２０，２１および押圧ローラ２２，２３によって搬送され、磁気ヘッド２４および磁気ヘッド押圧ローラ２５の間を通過するときに磁気ヘッド２４によって磁気情報が読み取られ、また記録される。磁気ヘッド２４の後方には、カム２６によって昇降駆動される消去・印字ヘッド２７が設けられ、プラテン２８との間を通過するカードに記録された文字や図形を消去し、新たな文字、図形を書き込む。カードの先端部は、駆動モータ２９、従動ギヤ３０、駆動ギヤ３１によって駆動される駆動ローラ３２と押圧ローラ３３との間に挟まれて、往復駆動される。
【００３７】
これらのカード搬送機構は、センサ（図示せず）がカードを検知したときに作動し、所定のプロセスで情報の読み取り、記録が行われる。
【００３８】
このように、カード搬送機構としては、例えば、モータ、ギヤ、ローラ、或いは、プーリーやベルト等で構成され、カードを搬送する機能を有するものである。更に、カード記録機構としては、磁気ストライプに代表されるカードの磁気記録層に対して、読み取り、或いは、記録を行う磁気ヘッドや、ＩＣカードへの読み取りや記録を行う機構、カードの熱可逆性材料を用いた印字部に対して、印字、或いは、消去を行うサーマルヘッド等であり、カードへの記録或いは再生を行う機能を有するものである。なお、カード処理機構とは、カード搬送機構及び／またはカード記録機構のことを言う。
【００３９】
次に、本発明の上部筐体を、ＰＯＳシステム用のカードリーダとして適用する場合の組み立て工程図を、図２を用いて説明する。
【００４０】
ＰＯＳシステム用のカードリーダにおいては、記録すべき情報はホストコンピュータから通信ケーブル（図示せず）を通してカードリーダ１に伝送されるので、キーボードは使用しない。そこで、図２（ａ）に示すように、上部筐体２のキーボード穴２ａを板状パネル６で塞ぐ。ここで、上部筐体２のキーボード穴２ａが形成される面は、板状パネル６を貼り付けるために、略板状パネル６の分だけ低くなるように、その周囲に段差を備え、段落ち部となっている。
【００４１】
また、板状パネル６の材質としては、シート材として一般的で耐衝撃性に優れたポリカーボネートを用いることができる。シート材をプレス加工などで所定の寸法にカットすることで、板状パネル６は簡単に製造することができる。
【００４２】
板状パネル６をキーボード穴２ａの上に貼り付けた状態を図２（ｂ）に示す。
【００４３】
なお、表示部用窓２ｂには、パワーランプ、レディーランプ、７セグメントなどの、ＰＯＳシステム用の表示部を取り付ける。
【００４４】
次に、本発明の上部筐体を、スタンドアローン型のカードリーダとして適用する場合の組み立て工程図を、図３を用いて説明する。
【００４５】
上部筐体２のキーボード穴２ａには、第１の制御基板１４（図１参照）に接続されるキーボードユニット（図示せず）のキーボード３４が突出するように取り付ける。上述のように、キーボード穴２ａを形成した面は、ＰＯＳシステム用で板状パネル６を貼り付けるために板状パネル６の分だけ低くなるような段差を備えた段落ち部となっており、図３（ａ）に示すように、キーボード穴２ａと同じ穴を打ち抜いたパネル３５を貼り付け、外観をよくすると共に、手垢や油で上部筐体２の表面が汚れるのを防止する。また、表示部用窓２ｂには、ＬＣＤ（液晶ディスプレイ）パネル３６を取り付ける。
【００４６】
組み立てられた状態を図３（ｂ）に示す。
【００４７】
以上のようにして、同じ上部筐体２を、スタンドアローン型のカードリーダとしても、ＰＯＳシステム用のカードリーダとしても組み立てることができる。
【００４８】
【発明の効果】
以上のように本発明によれば、上部筐体に、キーボード穴および表示部用窓を開口し、スタンドアローン型のカードリーダとして用いる場合はキーボード穴にキーボードを取り付け、ＰＯＳシステム用として用いる場合は、キーボード穴をパネルで塞ぐようにし、表示用窓には、それぞれのタイプに応じた表示パネルを取り付けるようにしたので、スタンドアローン型とＰＯＳ用の２種類のカードリーダの上部筐体を１種類の形状で共用することができる。
【００４９】
このため、金型のコストが低減できると共に、常に２種類の上部筐体の在庫を用意しておく必要がなくなり、いずれのタイプの受注があったときでも、即座に対応することができる。
【図面の簡単な説明】
【図１】本発明の実施の形態に係るカードリーダの筐体構造を示す断面図
【図２】本発明の上部筐体を、ＰＯＳシステム用のカードリーダとして適用する場合の組み立て工程図
【図３】本発明の上部筐体を、スタンドアローン型のカードリーダとして適用する場合の組み立て工程図
【図４】従来のスタンドアローン型のカードリーダの構造を示す斜視図
【図５】図４の従来のカードリーダの上部筐体を開けた状態の斜視図
【図６】従来のＰＯＳシステムで用いるカードリーダの例を示す斜視図
【符号の説明】
１  カードリーダ
２  上部筐体
２ａ  キーボード穴
２ｂ  表示部用窓
３  下部筐体
４  ヒンジ部
５  スライダ
６  板状パネル
７  化粧パネル
８  表示ユニット
１０  上部ハウジング
１１  下部ハウジング
１２  ロック用爪
１３  ロックピン
１４  第１の制御基板
１５  第２の制御基板
１６  電源ユニット
１７  カード
１８  カード挿入口
１９  ガイド溝
２０，２１  駆動ローラ
２２，２３  押圧ローラ
２４  磁気ヘッド
２５  磁気ヘッド押圧ローラ
２６  カム
２７  消去・印字ヘッド
２８  プラテン
２９  駆動モータ
３０  従動ギヤ
３１  駆動ギヤ
３２  駆動ローラ
３３  押圧ローラ
３４  キーボード
３５  パネル
３６  ＬＣＤパネル
【図１】
2005031935.tif 000003
【図２】
2005031935.tif 000004
【図３】
2005031935.tif 000005
【図４】
2005031935.tif 000006
【図５】
2005031935.tif 000007
【図６】
2005031935.tif 000008